(57)【要約】【課題】  ユーザの利便性を向上させることができるデータ再生装置を提供する。【解決手段】  データ再生装置１によれば、入力イベントデータと決定イベントデータとを比較し、入力イベントデータと決定イベントデータとが一致したか否かに応じて、ユーザに通知するための表示イメージに関する表示イメージデータを変更することで、ユーザが誤動作ではないかと混乱するおそれを防止し、ユーザの利便性を向上させることができる。【選択図】  図２
2008159153.tif 000002
【特許請求の範囲】
【請求項１】
コンテンツデータを再生する際に、ユーザによって指定された入力イベントに関する入力イベントデータに基づいて、実行すべき決定イベントに関する決定イベントデータを発生させて、前記決定イベントを実行するデータ再生装置であって、
前記入力イベントデータと前記決定イベントデータとを比較し、前記入力イベントデータと前記決定イベントデータとが一致したか否かに応じて、前記ユーザに通知するための表示イメージに関する表示イメージデータを変更することを特徴とするデータ再生装置。
【請求項２】
前記入力イベントデータと前記決定イベントデータとを比較した結果、前記入力イベントデータと前記決定イベントデータとが一致しなかった場合には、前記入力イベントデータと前記決定イベントデータとが一致しなかった旨を示す前記表示イメージに関する前記表示イメージデータを生成することを特徴とする請求項１記載のデータ再生装置。
【請求項３】
前記入力イベントデータと前記決定イベントデータとを比較した結果、前記入力イベントデータと前記決定イベントデータとが一致しなかった場合には、少なくとも前記決定イベントデータを示す前記表示イメージに関する前記表示イメージデータを生成することを特徴とする請求項１又は２記載のデータ再生装置。
【請求項４】
前記入力イベントデータと前記決定イベントデータとが一致した場合と、前記入力イベントデータと前記決定イベントデータとが一致しなかった場合とで、前記表示イメージの色彩が相異するように前記表示イメージデータを変更することを特徴とする請求項１〜３のいずれか一項記載のデータ再生装置。
【請求項５】
前記入力イベントデータと前記決定イベントデータとが一致した場合と、前記入力イベントデータと前記決定イベントデータとが一致しなかった場合とで、前記表示イメージの形状が相異するように前記表示イメージデータを変更することを特徴とする請求項１〜３のいずれか一項記載のデータ再生装置。
【請求項６】
前記入力イベントデータと前記決定イベントデータとを比較した結果、前記入力イベントデータと前記決定イベントデータとが一致しなかった場合には、前記入力イベントデータ及び前記決定イベントデータを示す前記表示イメージに関する前記表示イメージデータを生成することを特徴とする請求項１〜３のいずれか一項記載のデータ再生装置。
【発明の詳細な説明】
【技術分野】
【０００１】
本発明は、例えばＨＤ  ＤＶＤ（High  Definition  Digital  Versatile  Disc）等の記録媒体に記録されたコンテンツデータを再生するためのデータ再生装置に関する。
【背景技術】
【０００２】
従来のデータ再生装置として、コンテンツデータを再生する際に、ユーザによって指定された入力イベントに関する入力イベントデータに基づいて、実行すべき決定イベントに関する決定イベントデータを発生させて、決定イベントを実行するものがある。そして、このようなデータ再生装置には、コンテンツプロバイダによってユーザオペレーションの禁止が設定されている場合に、ユーザオペレーションの禁止が設定された入力イベントをユーザが指定すると、禁止マークの表示によって、ユーザによって指定された入力イベントが禁止されている旨をユーザに通知ものがある（例えば、特許文献１参照）。
【特許文献１】特開２００５−３１７０８９号公報
【発明の開示】
【発明が解決しようとする課題】
【０００３】
しかしながら、従来のデータ再生装置は、コンテンツプロバイダの設定に起因して、ユーザによって指定された入力イベントと異なる決定イベントを実行する場合がある。このような場合、ユーザは誤動作ではないかと混乱するおそれがあるため、ユーザの利便性という観点から、何らかの改善が必要である。
【０００４】
そこで、本発明は、このような事情に鑑みてなされたものであり、ユーザの利便性を向上させることができるデータ再生装置を提供することを目的とする。
【課題を解決するための手段】
【０００５】
上記目的を達成するために、本発明に係るデータ装置は、コンテンツデータを再生する際に、ユーザによって指定された入力イベントに関する入力イベントデータに基づいて、実行すべき決定イベントに関する決定イベントデータを発生させて、決定イベントを実行するデータ再生装置であって、入力イベントデータと決定イベントデータとを比較し、入力イベントデータと決定イベントデータとが一致したか否かに応じて、ユーザに通知するための表示イメージに関する表示イメージデータを変更することを特徴とする。
【発明の効果】
【０００６】
本発明によれば、ユーザの利便性を向上させることができる。
【発明を実施するための最良の形態】
【０００７】
以下、本発明の好適な実施形態について、図面を参照して詳細に説明する。
【０００８】
図１に示されるように、データ再生装置１は、ＨＤ  ＤＶＤ等の記録媒体２０３に記録されているデジタル形式の映像コンテンツデータを読み取って映像コンテンツ（例えば、映画やドラマ等）及びインタラクティブデータを再生することができる。更に、データ再生装置１は、インターネット２０２を介してネットワークストレージ２０４に接続し、ネットワークストレージ２０４からも同様に映像コンテンツデータを取得して映像コンテンツ及びインタラクティブデータを再生することができる。
【０００９】
データ再生装置１は、ハードディスクドライブ２、フラッシュメモリ（Flash  Memory）３、ディスクドライブ４及びネットワークコントローラ５を有しており、いずれもバス１９に接続されている。ハードディスクドライブ２は、高速回転する磁気ディスクに映像コンテンツデータ等のデジタルデータを記録して、デジタルデータの読み書きを行う。フラッシュメモリ３には、映像コンテンツデータ等のデジタルデータが記憶され、フラッシュメモリ３に対してデジタルデータの読み書きが行われる。ディスクドライブ４は、記録媒体２０３から映像コンテンツデータ等のデジタルデータを読み取り、再生信号を出力する機能を有している。ネットワークコントローラ５は、インターネット２０２を介してネットワークストレージ２０４との間で行われる映像コンテンツデータ等のデジタルデータの読み書きを制御する。
【００１０】
また、データ再生装置１は、ＭＰＵ６、メモリ部７、ＲＯＭ部８及びビデオメモリ部９を有しており、いずれもバス１９に接続されている。ＭＰＵ６は、ＲＯＭ部８からメモリ部７に読み出された起動プログラムに従って起動させられる。更に、ＭＰＵ６は、後述するデータプロセッサ部１０に対して、記録媒体２０３、ネットワークストレージ２０４、ハードディスクドライブ２及びフラッシュメモリ３のいずれかから読み出される映像コンテンツデータを用いて映像及び音声を再生するように指示する。メモリ部７には、ＭＰＵ６が作動する際に用いられるデータやプログラムが記憶される。ＲＯＭ部８には、ＭＰＵ６が実行するプログラム（例えば、起動プログラム等）や恒久的なデータが記憶されている。ビデオメモリ部９には、デコードされた映像データが順次書き込まれる。
【００１１】
また、データ再生装置１は、データプロセッサ部１０、映像デコーダ１１、オーディオデコーダ１２、映像合成部１３、映像出力部１４及びオーディオ出力部１５を有している。データプロセッサ部１０は、バス１９を介して入力するＭＰＵ６の指示に応じて動画音声再生プログラムを実行し、記録媒体２０３、ネットワークストレージ２０４、ハードディスクドライブ２及びフラッシュメモリ３のいずれかから読み出される映像コンテンツデータを分離して、動画データを映像デコーダ１１に供給すると共に、オーディオデータをオーディオデコーダ１２へ供給する。
【００１２】
映像デコーダ１１は、データプロセッサ部１０から供給された動画データをデコードして映像データとし、その映像データを映像合成部１３に供給する。映像合成部１３は、映像デコーダ１１から供給された映像データの合成処理を行って合成映像データを生成し、生成した合成映像データを映像出力部１４に供給する。映像出力部１４は、供給された合成映像データに対応した映像出力信号Ｓ１をＴＶ（television）受像機に出力する。
【００１３】
例えば、記録媒体２０３がＨＤ  ＤＶＤであり、そのＨＤ  ＤＶＤに記録されているアドバンスドコンテンツデータが再生される場合、映像デコーダ１１は、カーソルを表示させるためのカーソルプレーン、映像コンテンツの再生制御画像を表示させるためのグラフィックスプレーン、字幕等を表示させるためのサブピクチャプレーン、サブビデオプレーン及びメインビデオプレーンを生成する。そして、映像合成部１３は、映像デコーダ１１によって生成された５枚のプレーンを重畳して合成映像データを生成する。
【００１４】
オーディオデコーダ１２は、データプロセッサ部１０から供給されたオーディオデータをデコードし、そのデコードされたオーディオデータをオーディオ出力部１５に供給する。オーディオ出力部１５は、供給されたオーディオデータに対応したオーディオ出力信号Ｓ２をＴＶ受像機に出力する。
【００１５】
更に、データ再生装置１は、システムマイコン１６及び表示パネル１７を有している。システムマイコン１６は、ユーザ入力装置１８（リモコン又はデータ再生装置１が備える操作ボタン等の操作入力可能な装置）からの入力イベントデータの入力に応じて各種処理を実行し、映像コンテンツ及びインタラクティブデータの再生に際して用いられる様々な表示イメージデータを生成する。そして、システムマイコン１６は、生成した表示イメージデータに対応した表示イメージをＴＶ受像機の画面又は表示パネル１７に表示させる。表示パネル１７は、液晶表示パネルを有しており、システムマイコン１６の指示に従って表示イメージを液晶表示パネルに表示する。
【００１６】
次に、上述したシステムマイコン１６の機能について、より詳細に説明する。なお、以下の説明は、記録媒体２０３がＨＤ  ＤＶＤであり、そのＨＤ  ＤＶＤに記録されているアドバンスドコンテンツデータが再生される場合のものである。
【００１７】
図２に示されるように、アドバンスドコンテンツデータが再生される場合には、Default  Input  Handlerと称されるデフォルトアプリケーションが常に起動しているが、このデフォルトアプリケーションの他に、アプリケーション＃１，＃２というように複数のアプリケーションが同一の時間帯に起動していることがある。ここで、アプリケーション＃１，＃２には、例えば、サブビデオプレーンの生成を制御するアプリケーション等がある。
【００１８】
データ再生装置１は、ユーザによって指定された入力イベントに関する入力イベントデータに基づいて、実行すべき決定イベントに関する決定イベントデータを発生させて、決定イベントを実行するが、入力イベントデータと決定イベントデータとの対応関係は、アプリケーション＃１，＃２及びデフォルトアプリケーションのいずれか１つによって決定され、データ再生装置１によっては一意に決定されない。なお、イベントとは、コンテンツデータを再生する際にデータ再生装置１の各種動作（再生、停止、早送り、巻戻し、一時停止等）を促す作業を意味する。
【００１９】
デフォルトアプリケーションは、入力イベントデータと同一の決定イベントデータを発生させる。つまり、デフォルトアプリケーションは、ユーザによって「再生」に関する入力イベントデータが指定されれば、「再生」に関する決定イベントデータを発生させる。一方、アプリケーション＃１，＃２は、入力イベントデータと同一の決定イベントデータを発生させるとは限らない。つまり、アプリケーション＃１，＃２は、ユーザによって「再生」に関する入力イベントデータが指定されても、「早送り」に関する決定イベントデータを発生させ得る。これは、コンテンツプロバイダが自由に設定することができる。なお、アプリケーション＃１，＃２には、動作の優先度付けと、優先度が下位のアプリケーションに対して入力イベントデータを伝達するか否かを示すフラグとが用意されている。
【００２０】
図２に示されるように、リモコン等のユーザ入力装置１８を介してユーザによって指定された入力イベントに関する入力イベントデータは、入力イベントバッファ２１（メモリ部７内）に蓄積され、入力イベント保持部２２（メモリ部７内）に取り出されて保持される。アプリケーション＃１，＃２及びデフォルトアプリケーションは、入力イベント保持部２２に保持された入力イベントデータを所定の周期で読み出すようになっている。ここでは、入力イベント保持部２２に保持された入力イベントデータを最上位のアプリケーション＃１が読み出し、読み出した入力イベントデータ及び自ら有するイベント変換テーブルに基づいて、実行すべき決定イベントに関する決定イベントデータを発生させる。
【００２１】
なお、アプリケーション＃１は、自ら決定イベントデータを発生させず、アプリケーション＃２に入力イベントデータを伝達する場合もある。この場合には、アプリケーション＃２が、入力イベントデータ及び自ら有するイベント変換テーブルに基づいて決定イベントデータを発生させるか、或いはデフォルトアプリケーションに入力イベントデータを伝達する。デフォルトアプリケーションに入力イベントデータが伝播された場合には、デフォルトアプリケーションが、入力イベントデータに基づいて決定イベントデータを発生させる。このようにして、入力イベントデータと決定イベントデータとの対応関係は、アプリケーション＃１，＃２及びデフォルトアプリケーションのいずれか１つによって決定される。
【００２２】
アプリケーション＃１，＃２及びデフォルトアプリケーションのいずれか１つによって決定イベントデータが発生させられると、イベント比較部２３（システムマイコン１６内）が、入力イベント保持部２２に保持された入力イベントデータと、発生させられた決定イベントデータとを比較する。イベント比較部２３によって、入力イベントデータと決定イベントデータとが比較されると、表示制御部２４（システムマイコン１６内）が、入力イベントデータと決定イベントデータとが一致したか否かに応じて、ユーザに通知するための表示イメージに関する表示イメージデータを決定する。
【００２３】
具体的には、表示制御部２４は、アイコンイメージ２５（メモリ部７内）に対し、アイコンイメージ選択を行う。図３に示されるアイコンイメージは、入力イベントデータが「再生」に関する場合であり、その内部データがパレット番号で構成されている。同時に、表示制御部２４は、パレット２６（メモリ部７内）に対し、カラーパレット設定を行う。例えば、入力イベントデータ及び決定イベントデータが「再生」に関するものであり双方が一致した場合には、「Data:0がグレー／Data:1が緑」というようなカラーパレットが設定される。一方、入力イベントデータが「再生」に関するもので決定イベントデータが「早送り」に関するものであり双方が一致しなかった場合には、「Data:0がグレー／Data:1」が青というようなカラーパレットが設定される。
【００２４】
表示制御部２４によるアイコンイメージ選択及びカラーパレット設定が行われると、アイコン表示部２７（システムマイコン１６内）が、図４に示されるように、入力イベントデータ及び決定イベントデータが「再生」に関するものであり双方が一致した場合（図４（ａ））と、入力イベントデータが「再生」に関するもので決定イベントデータが「早送り」に関するものであり双方が一致しなかった場合（図４（ｂ））とで相異するアイコン（表示イメージ）に関する表示イメージデータを生成する。
【００２５】
アイコン表示部２７によって生成された表示イメージデータは、映像合成部１３においてグラフィックスプレーンとしてメインビデオプレーンに重畳され、映像出力部１４を介して映像出力信号Ｓ１としてＴＶ受像機に出力される。これにより、アイコン表示部２７によって生成された表示イメージデータに対応するアイコンがＴＶ受像機の画面にＯＳＤ（On  Screen  Display）として表示されることになる。
【００２６】
以上説明したように、データ再生装置１は、入力イベントデータと決定イベントデータとが一致した場合と、入力イベントデータと決定イベントデータとが一致しなかった場合とで、表示イメージの色彩が相異するように表示イメージデータを変更する。これにより、入力イベントデータと決定イベントデータとが一致しなかった場合には、入力イベントデータと決定イベントデータとが一致しなかった旨をユーザに通知することが可能となる。
【００２７】
このように、入力イベントデータと決定イベントデータとを比較し、入力イベントデータと決定イベントデータとが一致したか否かに応じて、ユーザに通知するための表示イメージに関する表示イメージデータを変更することで、ユーザが誤動作ではないかと混乱するおそれを防止し、ユーザの利便性を向上させることができる。
【００２８】
本発明は、上述した実施形態に限定されるものではない。
【００２９】
例えば、データ再生装置は、入力イベントデータと決定イベントデータとを比較した結果、入力イベントデータと決定イベントデータとが一致しなかった場合には、少なくとも決定イベントデータを示す表示イメージに関する表示イメージデータを生成するものであってもよい。これにより、ユーザの利便性をより一層向上させることが可能となる。一例として、図５に示されるように、入力イベントデータが「再生」に関するもので決定イベントデータが「早送り」に関するものであり双方が一致しなかった場合には、入力イベントデータ及び決定イベントデータを示すアイコン（表示イメージ）に関する表示イメージデータを生成してもよい。
【００３０】
また、入力イベントデータと決定イベントデータとが一致した場合と、入力イベントデータと決定イベントデータとが一致しなかった場合とで、表示イメージの形状が相異するように表示イメージデータを変更してもよい。
【００３１】
また、生成された表示イメージデータに対応する表示イメージを表示パネル１７に表示してもよい。
【図面の簡単な説明】
【００３２】
【図１】本発明に係るデータ再生装置の一実施形態の内部構成を示すブロック図である。
【図２】図１に示されたシステムマイコンの機能を示すブロック図である。
【図３】入力イベントデータが「再生」に関する場合のアイコンイメージを示す図である。
【図４】アイコンを示す図であり、（ａ）は、入力イベントデータ及び決定イベントデータが「再生」に関するものであり双方が一致した場合、（ｂ）は、入力イベントデータが「再生」に関するもので決定イベントデータが「早送り」に関するものであり双方が一致しなかった場合である。
【図５】入力イベントデータ及び決定イベントデータを示すアイコンを示す図である。
【符号の説明】
【００３３】
１…データ再生装置、１６…システムマイコン、１７…表示パネル、１８…ユーザ入力装置、２２…入力イベント保持部、２３…イベント比較部。
【図１】
2008159153.tif 000003
【図２】
2008159153.tif 000004
【図３】
2008159153.tif 000005
【図４】
2008159153.tif 000006
【図５】
2008159153.tif 000007